(57)【要約】【課題】光源ユニットの交換が容易にできる照明器具の提供をする。【解決手段】本発明における照明器具１００は、被取付部に設けられた開口に埋め込むように取付けられる照明器具１００であって、光源ユニット２００が挿入される本体開口１１１を有する第一本体部１２０と、光源ユニット２００が取り付けられる第二本体部１２０と、第一本体部１１０に対して第二本体部１２０が可動できるように、第一本体部１１０と第二本体部１２０とを接続する可動ユニット３００とを備えたことによって照明器具１００は、光源ユニット２００を着脱可能に取り付けることができ、光源ユニット２００を容易に交換することができる。【選択図】          図３
2019169318.tif 000002
【特許請求の範囲】
【請求項１】
被取付部に設けられた開口に埋め込むように取付けられる照明器具であって、
光源ユニットが挿入される本体開口を有する第一本体部と、
前記光源ユニットが取り付けられる第二本体部と、
前記第一本体部に対して前記第二本体部が可動できるように、前記第一本体部と前記第二本体部とを接続する可動ユニットと、
を備えたことを特徴とする照明器具。
【請求項２】
前記可動ユニットは、前記第二本体部を前記第一本体部と対向した状態で前記第一本体部から離れるように移動させ、前記第一本体部と前記第二本体部との間に前記光源ユニットを前記第二本体部に着脱作業ができる空間を形成したことを特徴とする請求項１に記載の照明器具。
【請求項３】
前記第二本体部は前記本体開口よりも長く形成されたことを特徴とする請求項１または請求項２のいずれか一項に記載の照明器具。
【請求項４】
前記第二本体部は前記開口よりも長く形成されたことを特徴とする請求項１から請求項３のいずれか一項に記載の照明器具。
【請求項５】
前記可動ユニットは、前記第一本体部および前記第二本体部の長手方向の端部に設けられたことを特徴とする請求項１から請求項４のいずれか一項に記載の照明器具。
【請求項６】
請求項１から請求項５のいずれか一項に記載の照明器具と、
前記本体開口よりも長く形成され、前記照明器具に着脱可能に取り付けられる光源ユニットと、
を備えた照明装置。
【発明の詳細な説明】
【技術分野】
【０００１】
本発明は、照明器具および照明装置に関するものである。
【背景技術】
【０００２】
従来から、天井などの被取付部に設けられた開口に埋め込むように取り付けられる照明装置がある。例えば、特許文献１の照明装置は、照明器具とこの照明器具に取り付けられる光源ユニットを有しており、天井に設けられた開口に照明器具を取り付けしたあとに、光源ユニットの取り付けしている。このとき、照明装置は、照明器具が光源ユニットより大きく形成された開口が設けられていることで、照明器具が被取付部に取り付けられた後でも光源ユニットを着脱することができる（例えば、特許文献１参照。）。
【先行技術文献】
【特許文献】
【０００３】
【特許文献１】特開２０１６−３９００５号公報
【発明の概要】
【発明が解決しようとする課題】
【０００４】
しかしながら、天井に形成できる開口の大きさが制限されることがあり、開口が光源ユニットよりも小さくしか形成できないことがある。そのような場合は、あらかじめ照明器具に光源ユニットを装着したあとに天井に取り付けをしなくはならず、光源ユニットを交換するときには、照明器具ごと取り外す必要があり、光源ユニットを容易に交換できなかった。
【０００５】
そこで、本発明は、上記のような課題を解決する為になされたもので、照明器具と光源ユニットの着脱が容易にできる照明器具の提供を目的とする。
【課題を解決するための手段】
【０００６】
本発明における照明器具は、被取付部に設けられた開口に埋め込むように取付けられる照明器具であって、光源ユニットが挿入される開口を有する第一本体部と、前記光源ユニットが取り付けられる第二本体部と、前記第一本体部に対して前記第二本体部が可動できるように、前記第一本体部と前記第二本体部とを接続する可動ユニットと、を備えたことを特徴とするものである。
【発明の効果】
【０００７】
本発明によれば、光源ユニットが着脱できるように取り付けられることで、光源ユニットを容易に交換することができる。
【図面の簡単な説明】
【０００８】
【図１】実施の形態１における照明装置の斜視図である。
【図２】実施の形態１における照明装置の分解斜視図である。
【図３】実施の形態１における照明器具の分解斜視図である。
【図４】実施の形態１におけるバネ部の斜視図である。
【図５】実施の形態１における可動ユニットの斜視図である。
【図６】実施の形態１における第一端板の斜視図である。
【図７】実施の形態１における第二端板の斜視図である。
【図８】実施の形態１における照明器具のＡ−断面図である。
【図９】実施の形態１における照明器具のＢ−Ｂ′断面図である。
【図１０】実施の形態１における光源ユニットの斜視図である。
【図１１】実施の形態１における光源ユニットの分解斜視図である。
【図１２】実施の形態１における照明装置の被取付部への取付参考図である。
【図１３】実施の形態１における照明装置の被取付部への取付参考図である。
【図１４】実施の形態１における照明装置の被取付部への取付参考図である。
【図１５】実施の形態１における照明装置の被取付部への取付参考図である。
【図１６】実施の形態１における照明装置の被取付部への取付参考図である。
【図１７】実施の形態１における照明装置の被取付部への取付参考図である。
【図１８】実施の形態１における照明装置の被取付部への取付参考図である。
【図１９】実施の形態１における照明装置の被取付部への取付参考図である。
【発明を実施するための形態】
【０００９】
実施の形態１.
本発明の実施の形態１に係る照明装置１の説明をする。実施の形態１において、天井などの被取付部に設けられた開口に埋め込むように取り付けられる照明装置の一例として、被取付部をＴバーなどの固定部材により構成されるシステム天井とし、システム天井に設けられた開口に取り付けられる照明装置１について説明する。
なお、被取付部の開口は略矩形状に設けられ、対向する側辺のうち一対の側辺は図１２に示すようにＴバーなどの支持部Ａが配設され、他方の一対の側辺は図示しない固定具もしくはパネルにより形成されているものである。
はじめに、図１および図２を参照して照明装置１の各部の構成を説明する。図１は照明装置１の斜視図であり、図２は図１に示す照明装置１の分解斜視図である。
照明装置１は、長尺状の照明器具１００と、照明器具１００に着脱可能に取り付けられる長尺状の光源ユニット２００を備えている。
照明器具１００、光源ユニット２００はいずれも長尺状であり、以下の説明において、長手方向を長手方向Ｘ、長手方向Ｘに対する短手方向を短手方向Ｙとし、長手方向Ｘおよび短手方向Ｙそれぞれに直交する方向を上下方向Ｚとする。また、照明装置１が照射する被照射面と照明装置１が取り付けられる被取付面が対向する状態において、被照射面から被取付面に向かう方向を上方向Ｚ１とし、上方向Ｚ１と反対側であり被取付面から被照射面に向かう方向を下方向Ｚ２とする。
【００１０】
図３から図９を参照して、照明器具１００の各部の構成を説明する。
図３は図２に示す照明器具１００の斜視図でありで、図４は図３に示すバネ部１２２の斜視図であり、図５は図２に示す可動ユニット３００の斜視図であり、図６の（ａ）は図３に示す第一端板３１０の斜視図であり、図６の（ｂ）は図６の（ａ）のＢ方向からみた第一端板３１０の斜視図であり、図７の（ａ）は図３に示す第二端板３２０の斜視図であり、図７の（ｂ）は図７の（ａ）のＣ方向からみた第二端板３２０の斜視図であり、図８は図２で示す照明器具２００のＡ−断面図であり、図９は図２に示す照明器具２００のＢ−Ｂ′断面図である。
照明器具２００は、被取付部の開口側に設けられる第一本体部１１０と、この第一本体部１１０の上側に設けられた第二本体部１２０と、第一本体部１１０と第二本体部１２０を連結する可動ユニット３００とを有している。
【００１１】
第一本体部１１０は、光源ユニット２００が挿通される本体開口１１１が設けられ、被取付部の開口を覆うように形成されている。第一本体部１１０は、長手方向Ｘにおいて対向する支持部Ａの間に配置されるものであり、長手方向Ｘの長さが対に設けられた支持部Ａの長さＬ４（図１２に図示）と略同等になるように形成されている。
第一本体部１１０は、長手方向Ｘに本体開口１１を形成するように設けられた反射部１１２と、この反射部１１２の長手方向Ｘの両端に設けられた第一端板３１０を有している。
【００１２】
反射部１１２は、対に設けられており、上方向Ｚ１から下方向Ｚ２に向かって互いに離れるよう傾斜して形成されている。対に形成された反射部１１２の上方向Ｚ１端部は、本体開口１１１が形成されるように間が設けられている。
【００１３】
第一端板３１０は、反射部１１２の長手方向Ｘの両端に設けられており、反射部１１２を保持しているものである。第一端板３１０は、対に設けられた反射部１１２の長手方向端部を塞ぐ蓋部３１１と、蓋部３１１から反射部１１２と反対方向に突設する水平保持部３１２と、水平保持部３１２に設けられた制御用開口３１３を有している。
第一端板３１０の水平保持部３１２は、照明器具２００が支持具Ａに取り付けするときに、支持具Ａの上方向Ｚ１端部Ａ1と当接するものであり、水平保持部３１２が支持部Ａに当接することで照明器具２００は支持具Ａに支持される。
また、第一本体部１１０の本体開口１１１の長手方向Ｘの長さＬ１は、対に設けられた蓋部３１１の対向する面同士の長手方向Ｘにおける長さである。本体開口１１１の長手方向Ｘの長さＬ１は、対に設けられた支持部Ａの長さＬ４（図１２の（ａ）に図示）と略同等になるように形成されている。
水平保持部３１２は、制御用開口３１３が形成された保持部底面３１２ａと、保持部３１２ａの側辺から上方向Ｚ１に突設した保持部側面３１２ｂを有している。
【００１４】
第二本体部１２０は第一本体部１１０の上方向Ｚ１側に移動可能に配設されており、第一本体１１０の本体開口１１１の長さＬ１よりも長く形成され、光源ユニット２００が着脱可能に固定されているものである。
第二本体部１２０は、略中央の光源ユニット２００が取り付けられる主本体１２１、主本体１２１の長手方向両端に設けられた第二端板３２０を有している。
【００１５】
主本体１２１は、端手方向Ｙの略中央に光源ユニット２００の一部が挿入されるように取り付けられる凹部１２１ａと、凹部１２１ａから短手方向Ｙの両側に設けられた側部１２１ｂを有している。主本体１２１の長手方向Ｘの長さＬ２は、本体開口の長さＬ１よりも長く形成されている。
【００１６】
凹部１２１ａは、長手方向Ｘからの側面視において一面が開口したコの字形状であり、内部に光源ユニット２００を固定する為のバネ部１２２や、外部の商用電源から電力供給を受けるための端子台１２３が取り付けられている。また、凹部１２１ａの光源ユニット２００の一部が挿入される凹部開口１２１ａａが設けられて
【００１７】
側部１２１ｂは、光源ユニット２００の広角方向への光を下方向Ｚ１へ反射するものであり、凹部１２１ａの凹部開口１２１ａａの下方向Ｚ２側端部より短手方向Ｙに突設
して形成されたものである。側部１２１ｂは、長手方向Ｘの端部側の短手方向Ｙの端部に第二端板３２０と係合する突設部１２１ｂａを有している。突設部１２１ｂａは、側部１２１ｂの短手方向Ｙの端部から短手方向Ｙ外側へ突出するように設けられている、突設部１２１ｂａは、例えば、ネジやボルトなどでも良く、板金の一部を突設するように加工したものでも良い。
また、側部１２１ｂは、照明装置１を支持部Ａに取り付け後に、下方向Ｚ２から上方向Ｚ１を見上げたときに本体開口１１１から被取付部の裏側が見えないように隠すものである。
【００１８】
バネ部１２２は、光源ユニット２００を係止して凹部１２１ａに固定するものであり、凹部１２１ａに、長手方向Ｘに沿って対になるように２つ配設されている。
バネ部１２２は図４に示すようにバネ固定部１２２ａと、バネ円弧部１２２ｂと、バネ先端部１２２ｃが設けられている。バネ固定部１２２ａは、凹部１２１ａの底面に固定される。バネ円弧部１２２ｂは、円弧形状をしており、一端にバネ先端部１２２ｃが設けられている。バネ先端部１２２ｃは、後述する連結金具２６０に引っ掛けられる。
また、バネ部１２２は、ステンレス材料や、バネ鋼材などの弾性材料で形成される。なお、バネ部１２２は、板材の弾性材料を曲げて形成しても良く、線材の弾性材料を曲げて形成してもよい。
【００１９】
第二端板３２０は、主本体１２１の長手方向Ｘの両端に設けられており、主本体１２１の長手方向Ｘの端面と対向するように設けられた端板本体３２１と、端板本体３２１に設けられ第二端板部３２０の長手方向Ｘの移動を制御する端板バネ部３２２と、端板本体３２１から主本体１２１側に突設して主本体１２１を移動可能に保持する端板側面３２３と、支持部Ａに引っ掛かる爪部３２４を有している。
【００２０】
端板本体３２１は、主本体１２１の長手方向Ｘの端面と対向するように設けられているとともに、第一端板３１０の水平保持部３１２が挿通される端板開口３２１ａ、端板本体３２１から主本体１２１方向へ突設した端板支持部３２１ｂを備えている。
第二端板３２０は、水平保持部３１２が端板開口３２１ａに挿通されることで、水平保持部３１２に沿って長手方向Ｘへ移動することができる。
また、端板支持部３２１ｂは、主本体１２１の長手方向Ｘの端部に係合するものであり、上下方向Ｚに併設して２つ設けられている。第二端板３２０は、端板支持部３２１ｂが主本体１２１の長手方向Ｘの端部と係合することで、主本体１２１を保持することができる。端板支持部３２１ｂは、主本体１２１の長手方向Xの端部に設けられた切り欠き部に挿し込まれ係合するものであり、凹部開口１２１ａａの長手方向Xの端部側を覆うように係合している。
【００２１】
端板バネ部３２２は、板バネを曲げて形成されており、一端側が端板本体３２１に設けられており、他端側が第一端板３１０の制御用開口３１３に挿し込まれと係合する。
端板バネ部３２２は、第二端板３２０の移動を規制するものである。端板バネ部３２２は、第二端板３２０を主本体１２１側へ押圧し、第二端板３２０の意図しない移動を抑制することができる。例えば、第二端部３２０が水平保持部３１２から外れるのを抑制することができる。
【００２２】
端板側面３２３は、端板本体３２１の側辺から主本体１２１の側方を覆うように突設して設けられており、主本体１２１の突設部１２１ｂａが移動可能に係合するスリット部３２３ａを有している。
スリット部３２３ａは、図７に示すように、下側水平部３２３ａａ、垂直部３２３ａｂ、上側水平部３２３ａｃを有し、コの字状に形成されている。突設部１２１ｂａは、スリット部３２３ａに係合した状態で、下側水平部３２３ａａ、垂直部３２３ａｂ、上側水平部３２３ａｃに沿って移動することができる。よって、主本体１２１はスリット部３２３ａに沿って移動することができる。
なお、端板本体３２１に設けられた２つの端板保持部３２１ｂは、それぞれが下側水平部３２３ａａ、上側水平部３２３ａｃに応じた位置に設けられている。よって、突設部１２１ｂａが下側水平部３２３ａａで保持されているときは下方向Ｚ２側の端板保持部３２１ｂで主本体１２１を保持し、突設部１２１ｂａが上側水平部３２３ａｃで保持されているときは上方向Ｚ１側の端板保持部３２１ｂで主本体１２１を保持する。
【００２３】
可動ユニット３００は、第一端板３１０と第二端板３２０で構成されており、第一端板３１０と第二端板３２０は、水平保持部３１２が端板開口３２３ａに挿通され、端板バネ部３２２が制御用開口３１３に挿し込まれることで長手方向Ｘへ移動可能に連結している。そして、第一本体部１１０は第一端部３１０が長手方向の端部として一体的に固定され、第二本体部１２０は第二端部３２０が主本体１２１を上下方向へ移動可能に保持していることで、照明器具１００は、可動ユニット３００が、第一本体部１１０と第二本体部１２０を可動できるように連結することができる。
また、照明器具１００は、可動ユニット３００によって、第二本体部１２０を第一本体部１１０と対向した状態で、第一本体部１１０から離れるように可動させることができる。
なお、照明器具１００は、図８および図９に示すように、主本体１２１の凹部開口１２１ａａ側と第一端板３１０の保持部底面３１２ａの間に、点線で示すような光源ユニット２００を収容する収容空間Ｓ１を形成している。また、収容空間Ｓ１は、保持部底面３１２ａと下方向Ｚ１側の端板支持部３２１ｂとの間に形成されている。
【００２４】
以上が、照明器具１００の構成であり、次に、この照明器具１００に装着される光源ユニット２００の構成を図１０から図１１を用いて説明する。図１０の（ａ）は図２に示す光源ユニット２００の斜視図であり、図１０の（ｂ）は光源ユニット２００の上方向Ｚ１側からみた斜視図であり、図１１は図１０に示す光源ユニット２００の一部を分解した斜視図である。
【００２５】
光源ユニット２００は、複数の発光素子２１１が基板２１２に実装された発光体２１０と、この発光体２１０が取付けられるフレーム２２０と、発光体２１０を覆うようにフレーム２２０に取り付けられ、発光体２１０からの光を拡散して透過するカバー２３０と、光源ユニット２００の長手方向Ｘの端部に配設される蓋２４０を備えている。
また、光源ユニット２００は、端子台と接続し発光体２１０に所定の点灯電力を供給する電源装置２５０と、バネ部１２２と係合する連結金具２６０とを備えている。
光源ユニット２００は、凹部１２１ａに一部が挿入されるよう主本体１２１ａに取り付けられる。この光源ユニット２００の長手方向Ｘの両端に設けられた対になる蓋２４０の長さＬ３は、本体開口１１１の長さＬ１よりも長く、凹部開口１２１ａａの長さＬ２よりも短く形成されている。また、照明器具１００に取り付けられた状態で、光源ユニット２００の長手方向Ｘの端部側は、図８および図９に示す凹部開口１２１ａａ側と第一端板３１０の保持部底面３１２ａの間の収容空間Ｓ１に収容される。
【００２６】
以上が、照明装置１の各部の構成である。次に、図１２から図１９を参照して本発明による照明装置１の支持部Ａへ取り付けする方法の概要を説明する。
図１２は照明器具１００が支持部Ａに取り付けられる前の状態であり、図１３は図１２の状態から照明器具１００が支持部Ａに取り付けられた状態であり、図１４は図１３の状態から第二端板３２０が長手方向Ｘへ移動した状態であり、図１５は図１４の状態から第二本体部１２０が上方向Ｚ１に移動した状態であり、図１６は図１５の状態から第一本体部１１０に光源ユニット１００が挿し込まれている状態であり、図１７は図１６の状態から第二本体部１２０に光源ユニット２００が取り付けられている状態であり、図１８は図１７の状態から第二本体部１２０に光源ユニット２００が取り付けられ、第二端板３２０が長手方向Ｘへ移動した状態であり、図１９は図１８の状態から照明装置１が支持部Ａに取り付けられた状態を示す。
【００２７】
はじめに、図１２の状態から、図１３の状態になるように、照明器具２００を下方向Ｚ２に移動させる。
図１３の状態において、第一本体部１１０が支持部Ａの間に配置された状態で、可動ユニット３００の水平保持部３１２が支持具Ａの上方向Ｚ１の端部Ａ１に当接し、爪部３３５が支持具Ａの上方向Ｚ１の端部に引っ掛かることで、照明器具１は支持部Ａに固定される。
このとき、被取付部の開口となる長手方向Ｘにおける対向する支持具Ａ同士の間の長さＬ４は、照明器具１００の本体開口１１１と略同等の長さになる。
【００２８】
次に、図１４のように、第二端板３２０をスリット部３２３ａの下側水平部３２３ａａに沿って、長手方向Ｘにおける照明器具１００の外側へ可動させる。このとき制御バネ３２２は押圧された状態となる。また、第二端板３２０が移動されることで、突設部１２１ｂａは垂直部３２３ａｂに沿って上方向Ｚ１へ移動が可能となり、主本体１２１を上方向Ｚ１へ移動させることができる。
【００２９】
次に、図１５のように、主本体部１２１を垂直部３２３ａｂに沿って移動させ、突設部１２１ｂａが垂直部３２３ａｂの上方向Ｚ１側端部に達すると、端板バネ部３２２の押圧状態が解除される。端板バネ部３２２の押圧状態が解除されると、端板バネ部３２２の弾性力により第二端部３２０が長手方向Ｘにける内側へ移動し、主本体部１２１は上側水平部３２３ａｃで保持される。このとき、主本体部１２１と第一本体部１１０との間に光源ユニット２００を取り付けする為の作業空間Ｓ２が形成される。
【００３０】
次に、図１６のように、光源ユニット２００を主本体１２１に取り付けをおこなう。主本体１２２が第二端板３２０の上側水平部３２３ａｃで保持された状態で、本体開口１１１から光源ユニット２００を斜めに挿し込みをおこない、主本体１２２と光源ユニット２００を対向させる。主本体部１２１を上方向に移動させることで、作業空間Ｓ２を形成することでき、光源ユニット２００を挿し込み可能な空間を形成することができる。
【００３１】
次に、図１７のように、光源ユニット２００が主本体部１２１と対向した状態で、バネ部１２２のバネ先端部１２２ｃを下方向Ｚ２に弾性変形をさせ、光源ユニット２００の連結金具２６０に係合させ、端子台１２３と点灯装置２５０を電気的に接続させた後に、光源ユニット２００を主本体部１２１側へ押し上げることで、バネ部１２２が光源ユニット２００を引き上げ凹部１２１ａに一部を収容するように固定する。このとき点灯装置２５０は、凹部１２１ａに収容される。このように、主本体部１２１を上方向に移動させることで、作業空間Ｓ２を形成することでき、光源ユニット２００を主本体１２１に装着させることができる。
【００３２】
次に、図１８のように、主本部１２２に光源ユニット２００が取り付けられた状態で、第二端板３２０を長手方向Ｘにおける外側へ移動させることで、第二本体部１２０は垂直部３２３ａｂに沿って下方向Ｚ２へ移動する。突設部１２１ｂａが垂直部３２３ａｂの下方向Ｚ２の端部に達すると、端板バネ部３２２の押圧状態が解除される。端板バネ部３２２の押圧状態が解除されると、図１９に示すように端板バネ部３２２の弾性力により第二端部３２０が長手方向Ｘにける内側へ移動し、主本体１２２は下側水平部３２３ａａで保持される。以上の工程により、照明装置１は保持部Ａに取り付けられる。
なお、光源ユニット２００を取り外すときは、上記の工程の逆の工程により取り外すことができる。
また、光源ユニット２００を交換するときは、図１６のように、主本体部１２１が第二端板３２０の上側水平部３２３ａｃで保持された状態で交換することができる。主本体部１２１が上側水平部３２３ａｃで保持された状態において、既に装着されていた光源ユニット２００を外し、新たな光源ユニット２００を装着させることができる。
【００３３】
本実施の形態の照明器具１００は、被取付部に設けられた開口に埋め込むように取付けられる照明器具１００であって、光源ユニット２００が挿入される本体開口１１１を有する第一本体部１１０と、光源ユニットが取り付けられる第二本体部１２０と、第一本体部１１０に対して第二本体部１２０が可動できるように第一本体部１１０と前記第二本体部１２０とを接続する可動ユニットとを備えているものである。
このように、第二本体部１２０が可動することで、第一本体部１１０と第二本体部１２０との間に光源ユニット２００を取付けするための作業空間Ｓ２を形成することができ、光源ユニットの着脱を容易にすることができる。よって、照明器具１００に装着された光源ユニット２００の交換も容易にすることができる。
【００３４】
本実施の形態の照明器具１００は、第一の本体部１１０の本体開口１１１の長手方向Ｘの長さが光源ユニット２００の長手方向Ｘの長さよりも短くても、第二本体部１２０が第一本体部１１０に対して離れるように可動することで、第一本体部１１０と第二本体部１２０の間に作業空間Ｓ２を形成することができ、本体開口１１１よりも長い光源ユニット２００を第二本体部１２０に取り付けすることができる。
よって、本体開口１１１の長さが、標準で用意している光源ユニットの長手方向Ｘの長さよりも短くとも、標準で用意している光源ユニットを照明器具１００に取り付けすることができる。これにより、本体開口１１１の長さに応じた光源ユニットの開発をしなくとも良く、開発工数の抑制、長さの種類の増加による在庫の増大を抑制することができる。
【００３５】
また、本実施の形態では、可動ユニット３００は照明器具２００の長手方向Ｘの端部に設けられているが、可動ユニット３００は第二本体部１２０が可動できるように第一本体部１１０と第二本体部１２０を接続させるものであれば、長手方向Ｘの端部以外に設けても良く、短部方向Ｙで第一本体部１１０と第二本体部１２０を接続させても良く、長手方向Ｘおよび短手方向Ｙの両方で接続させても良い。また、長手方向Ｘの両端側でなく、一端側のみ可動するようにしても良い。可動ユニット３００は、第一本体部１１０と第二本体部１２０の間に作業空間Ｓ２を形成できるように第一本体部１１０と第二本体部１２０を接続させるものであれば良い。
【００３６】
また、本実施の形態では、第二端板３２０のスリット部３２３ａは下側水平部３２３ａａ、垂直部３２３ａｂ、上側水平部３２３ａｃを有するコの字形状に形成されていたが、第二端板３２０は第二本体部１２０の突設部１２１ｂａが長手方向Ｘおよび上下方向Ｚに移動可能に係合するものであればコの字状でなくても良い。例えば、円弧形状でも良い。
【符号の説明】
【００３７】
Ａ  支持具、Ｓ１  収容空間、Ｓ２  作業空間、Ｘ  長手方向、Ｙ  短手方向、Ｚ１  上方向、Ｚ２  下方向、１  照明器具、１００  照明器具、１１０  第一本体部、１１１  本体開口、１１２  反射部、１２０  第二本体部、１２１  主本体、１２１ａ  凹部、１２１ａａ  凹部開口、１２１ｂ  側部、１２１ｂａ  突設部、１２２  バネ部、１２２ａ  バネ固定部、１２２ｂ  バネ円弧部、１２２ｃ  バネ先端部、１２３  端子台、２００  光源ユニット、２１０  発光体、２１１  発光素子、２１２  基板、２２０  フレーム、２３０  カバー、２４０  蓋、２５０  点灯装置、２６０  連結金具、３００  可動ユニット、３１０  第一端板、３１１  蓋部、３１２  水平保持部、３１２ａ  保持部底面、３１２ｂ  保持部側面、３１３  制御用開口、３２０  第二端板、３２１  端板本体、３２１ａ  端板開口、３２１ｂ  端板支持部、３２２  端板バネ部、３２３  端板側面、３２３ａ  スリット部、３２３ａａ  下側水平部、３２３ａｂ  垂直部、３２３ａｃ  上側水平部、３３４  爪部。
【図１】
2019169318.tif 000003
【図２】
2019169318.tif 000004
【図３】
2019169318.tif 000005
【図４】
2019169318.tif 000006
【図５】
2019169318.tif 000007
【図６】
2019169318.tif 000008
【図７】
2019169318.tif 000009
【図８】
2019169318.tif 000010
【図９】
2019169318.tif 000011
【図１０】
2019169318.tif 000012
【図１１】
2019169318.tif 000013
【図１２】
2019169318.tif 000014
【図１３】
2019169318.tif 000015
【図１４】
2019169318.tif 000016
【図１５】
2019169318.tif 000017
【図１６】
2019169318.tif 000018
【図１７】
2019169318.tif 000019
【図１８】
2019169318.tif 000020
【図１９】
2019169318.tif 000021